(57)【要約】【課題】低重心化が可能で、しかも反発性能を向上できるゴルフクラブヘッドを提供する。【解決手段】  本発明に係るゴルフクラブヘッドは、フェース部、サイド部、ソール部、及びクラウン部を備えたゴルフクラブヘッドであって、前記クラウン部は、前記サイド部と接する基部と、前記フェース部との境界に沿ってトゥ−ヒール方向に延び、前記基部から段差を形成して隆起する隆起部と、を備え、前記隆起部の肉厚は、前記基部の肉厚よりも大きく、前記段差の高さが、０．５〜３ｍｍである。【選択図】図５
2018034021.tif 000002
【特許請求の範囲】
【請求項１】
フェース部、サイド部、ソール部、及びクラウン部を備えたゴルフクラブヘッドであって、
前記クラウン部は、
前記サイド部と接する基部と、
前記フェース部との境界に沿ってトゥ−ヒール方向に延び、前記基部から段差を形成して隆起する隆起部と、
を備え、
前記隆起部の肉厚は、前記基部の肉厚よりも大きく、
前記段差の高さが、０．５〜３ｍｍである、ゴルフクラブヘッド。
【請求項２】
前記段差の高さが、０．５〜２ｍｍである、請求項１に記載のゴルフクラブヘッド。
【請求項３】
前記隆起部の肉厚が、０．７〜１．４ｍｍである、請求項１または２に記載のゴルフクラブヘッド。
【請求項４】
前記隆起部の肉厚が、０．７〜１．０ｍｍである、請求項１または２に記載のゴルフクラブヘッド。
【請求項５】
前記隆起部のフェース−バック方向の幅が、５〜２０ｍｍである、請求項１から４のいずれかに記載のゴルフクラブヘッド。
【請求項６】
前記隆起部のフェース−バック方向の幅が、７〜１５ｍｍである、請求項１から４のいずれかに記載のゴルフクラブヘッド。
【請求項７】
前記基部は、第１の肉厚を有する第１領域と、前記第１の肉厚よりも小さい第２の肉厚を有する少なくとも１つの第２領域とを有しており、
前記第１領域の肉厚は、前記隆起部よりも小さい、請求項１から６のいずれかに記載のゴルフクラブヘッド。
【請求項８】
前記第２領域の平面視の総投影面積は、当該ヘッドの平面視の投影面積の５〜３０％である、請求項７に記載のゴルフクラブヘッド。
【請求項９】
前記フェース部の少なくとも一部の肉厚は、前記隆起部の肉厚よりも大きい、請求項１から８のいずれかに記載のゴルフクラブヘッド。
【請求項１０】
前記隆起部と前記フェース部のなす角が鈍角である、請求項１から９のいずれかに記載のゴルフクラブヘッド。
【請求項１１】
前記ソール部の内壁面には、前記フェース部の近傍に突部が形成されている、請求項１から１０のいずれかに記載のゴルフクラブヘッド。
【発明の詳細な説明】
【技術分野】
【０００１】
本発明は、ゴルフクラブヘッドに関する。
【背景技術】
【０００２】
フェアウェイウッド、ユーティリティなどのゴルフクラブのヘッドは、低重心化を図るため、ドライバーと比べ、フェース部の高さを低くすることが特徴となっている（例えば、特許文献１）。
【先行技術文献】
【特許文献】
【０００３】
【特許文献１】特開２００９−２４０３６３号公報
【発明の概要】
【発明が解決しようとする課題】
【０００４】
しかしながら、上記ゴルフクラブヘッドのように、フェース部の高さを低くすると、ヘッドの低重心化は図れるものの、フェース部による反発性能が低下するという問題が生じる。本発明は、上記問題を解決するためになされたものであり、低重心化が可能で、しかも反発性能を向上できるゴルフクラブヘッドを提供することを目的とする。
【課題を解決するための手段】
【０００５】
本発明に係るゴルフクラブヘッドは、フェース部、サイド部、ソール部、及びクラウン部を備えたゴルフクラブヘッドであって、前記クラウン部は、前記サイド部と接する基部と、前記フェース部との境界に沿ってトゥ−ヒール方向に延び、前記基部から段差を形成して隆起する隆起部と、を備え、前記隆起部の肉厚は、前記基部の肉厚よりも大きく、前記段差の高さが、０．５〜３ｍｍである。
【０００６】
上記ゴルフクラブヘッドにおいては、前記段差の高さを、０．５〜２ｍｍとすることができる。
【０００７】
上記ゴルフクラブヘッドにおいては、前記隆起部の肉厚を、０．７〜１．４ｍｍとすることができる。
【０００８】
上記ゴルフクラブヘッドにおいては、前記隆起部の肉厚を、０．７〜１．０ｍｍとすることができる。
【０００９】
上記各ゴルフクラブヘッドにおいては、前記隆起部のフェース−バック方向の幅を、５〜２０ｍｍとすることができる。
【００１０】
上記各ゴルフクラブヘッドにおいては、前記隆起部のフェース−バック方向の幅を、７〜１５ｍｍとすることができる。
【００１１】
上記各ゴルフクラブヘッドにおいては、前記基部は、第１の肉厚を有する第１領域と、前記第１の肉厚よりも小さい第２の肉厚を有する少なくとも１つの第２領域とを有しており、前記第１領域の肉厚は、前記隆起部よりも小さいものとすることができる。
【００１２】
上記ゴルフクラブヘッドにおいては、前記第２領域の平面視の総投影面積を、当該ヘッドの平面視の投影面積の５〜３０％とすることができる。
【００１３】
上記各ゴルフクラブヘッドにおいては、前記フェース部の少なくとも一部の肉厚を、前記隆起部の肉厚よりも大きくすることができる。
【００１４】
上記各ゴルフクラブヘッドにおいては、前記隆起部と前記フェース部のなす角を鈍角とすることができる。
【００１５】
上記各ゴルフクラブヘッドにおいて、前記ソール部の内壁面には、前記フェース部の近傍に突部を形成することができる。
【００１６】
本発明に係るゴルフクラブヘッドは、フェース部、サイド部、ソール部、及びクラウン部を備えたゴルフクラブヘッドであって、前記クラウン部は、前記サイド部と接する基部と、前記フェース部との境界に沿ってトゥ−ヒール方向に延び、前記基部から段差を形成して隆起する隆起部と、を備えている。
【００１７】
上記ゴルフクラブヘッドにおいて、前記隆起部の肉厚は、前記基部の肉厚よりも大きくすることができる。
【００１８】
上記ゴルフクラブヘッドにおいて、前記基部は、第１の肉厚を有する第１領域と、前記第１の肉厚よりも小さい第２の肉厚を有する少なくとも１つの第２領域とを有しており、前記第１領域の肉厚は、前記隆起部よりも小さくすることができる。
【００１９】
上記ゴルフクラブヘッドにおいて、前記第２領域の平面視の総投影面積は、当該ヘッドの平面視の投影面積の５〜３０％とすることができる。
【００２０】
上記ゴルフクラブヘッドにおいて、前記複数の第２領域は、平面視でトウ−ヒール方向において前記ゴルフクラブヘッドの重心付近を中心に、フェース−バック方向における前記フェース側付近を起点として、当該起点から、前記フェース側を除く前記クラウン部の周縁部に向かって放射状に分布しており、隣接する前記第２領域の間に配置される前記第１領域は、前記起点側から前記周縁部側にいくにしたがって幅が大きくなるように構成することができる。
【００２１】
上記ゴルフクラブヘッドにおいて、前記クラウン部の前記周縁部は、前記第１領域により構成され、前記各第２領域における前記周縁部側の端縁は、前記第１領域により構成された前記周縁部に接するように構成することができる。
【００２２】
上記ゴルフクラブヘッドにおいて、前記第２領域の幅は、前記起点側から前記周縁部側にいくにしたがって幅が大きくなるように構成することができる。
【発明の効果】
【００２３】
本発明に係るゴルフクラブヘッドによれば、クラウン部が、サイド部と接する基部と、フェース部との境界に沿ってトゥ−ヒール方向に延び、前記基部から段差を形成して隆起する隆起部と、を備えている。これにより、クラウン部において、隆起部が基部よりも、段差を介して高く形成されているため、隆起部が高くなった分だけ、フェース部の高さを高くすることができる。そのため、フェース部における反発性能を向上することができる。また、クラウン部においては、隆起部のみが高く形成され、基部は隆起部よりも低い位置に形成されているため、ヘッドの重心を低くすることができる。
【図面の簡単な説明】
【００２４】
【図１】本実施形態に係るゴルフクラブヘッドの基準状態の斜視図である。
【図２】図１の平面図である。
【図３】フェース部の境界を説明する図である。
【図４】図１に示すゴルフクラブヘッドの平面図である。
【図５】図４のＡ−Ａ線断面図である。
【図６】移行部を有するゴルフクラブヘッドの断面図である。
【図７】実施例１，２に係るゴルフクラブヘッドの断面図である。
【図８】実施例１に係るゴルフクラブヘッドの平面図である。
【図９】比較例１に係るゴルフクラブヘッドの断面図である。
【図１０】比較例２に係るゴルフクラブヘッドの断面図である。
【図１１】実施例１と比較例２に係るゴルフクラブヘッドの打球音の分布を示す図である。
【発明を実施するための形態】
【００２５】
以下、本発明に係るゴルフクラブヘッドの一実施形態について、図面を参照しつつ説明する。図１は本実施形態に係るゴルフクラブヘッドの基準状態の斜視図、図２は図１の平面図である。なお、ゴルフクラブヘッドの基準状態については、後述する。
【００２６】
＜１．ゴルフクラブヘッドの概要＞
図１に示すように、本実施形態に係るゴルフクラブヘッド（以下、単に「ヘッド」ということがある）は、中空構造であり、フェース部１、クラウン部２、ソール部３、サイド部４、及びホーゼル部５によって壁面が形成されている。
【００２７】
フェース部１は、ボールを打球する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。ここで説明するヘッドは、ユーティリティ又はフェアウェイウッドといったゴルフクラブヘッドに適用することができる。
【００２８】
ここで、上述した基準状態について説明する。まず、図１及び図２に示すように、上記中心軸線Ｚが水平面Ｈ（図５参照）に対して垂直な平面Ｐ１に含まれ、且つ所定のライ角及びリアルロフト角で水平面Ｈ上にヘッドが載置された状態を基準状態と規定する。そして、上記平面Ｐ１を基準垂直面Ｐ１と称する。また、図２に示すように、上記基準垂直面Ｐ１と上記水平面Ｈとの交線の方向をトウ−ヒール方向と称し、このトウ−ヒール方向に対して垂直であり且つ上記水平面Ｈに対して平行な方向をフェース−バック方向と称することとする。
【００２９】
本実施形態において、クラウン部２とサイド部４との境界は次のように定義することができる。すなわち、クラウン部２とサイド部４との間に稜線が形成されている場合には、これが境界となる。これに対して、明確な稜線が形成されていない場合には、ヘッドを基準状態に設置し、これをヘッドの重心の真上から見たときの輪郭が境界となる。また、クラウン部２とフェース部１との境界についても、同様であり、稜線が形成されている場合には、これが境界となる。一方、明確な稜線が形成されていない場合には、例えば、図３（ａ）に示されるように、ヘッド重心ＧとスイートスポットＳＳとを結ぶ直線Ｎを含む各断面Ｅ１、Ｅ２、Ｅ３…において、図３（ｂ）に示されるように、フェース外面輪郭線Ｌｆの曲率半径ｒがスイートスポット側からフェース外側に向かって初めて２００mm となる位置Ｐｅがフェース部１の周縁（境界）として定義される。なお、スイートスポットＳＳとは、ヘッド重心Ｇを通るフェース面の法線（直線Ｎ）とこのフェース面との交点である。
【００３０】
このゴルフクラブヘッドの体積は、例えば、９０ｃｍ3以上であることが好ましく、１００ｃｍ3以上であることがさらに好ましい。このような体積を有するヘッドは、構えた際の安心感が増し、かつ、スイートエリア及び慣性モーメントを増大させるのに役立つ。なお、ヘッド体積の上限は特に定めないが、実用上、例えば２００ｃｍ3以下が望ましく、またＲ＆ＡやＵＳＧＡのルール規制に従う場合には４６０ｃｍ3以下が望ましい。
【００３１】
また、ヘッドは、例えば、比重がほぼ７．７〜７．８程度のマレージングで形成することができる。また、マレージング以外にも、例えばステンレス鋼、チタン合金、アルミ合金、マグネシウム合金、またはアモルファス合金などの中から１種または２種以上を用いて形成することもできる。
【００３２】
なお、本実施形態に係るヘッドは、少なくともクラウン部２を有するヘッド本体と、他の部分を組み合わせることで構成される。例えば、フェース部１のみを別部材で構成してヘッド本体に取り付けることでヘッドを構成したり、あるいはソール部３やサイド部４に開口を設けたヘッド本体を形成し、この開口を別部材で塞ぐことでヘッドを構成することもできる。
【００３３】
＜２．クラウン部の構造＞
続いて、図４及び図５も参照しつつ、クラウン部２について説明する。図４は、ゴルフクラブヘッドの平面図であるが、特に、クラウン部２において肉厚の相違する領域（後述する第２領域）を破線にて明示している。また、図５は図４のＡ−Ａ線断面図である。図４及び図５に示すように、クラウン部２は、サイド部４と接する基部２１と、フェース部１と接する隆起部２２とで構成されている。隆起部２２は、フェース部１に沿ってトゥ−ヒール方向に延びる帯状の領域であり、基部２１との境界が段差２３となっている。すなわち、図５に示すように、隆起部２２は、段差２３を介して、基部２１よりも高い位置に形成されている。これにより、隆起部２２と基部２１との段差２３の分だけ、フェース部１の上下方向の高さが高くなっている。
【００３４】
隆起部２２のフェース−バック方向の幅Ｄは、例えば、５〜２０ｍｍとすることが好ましく、７〜１５ｍｍとすることがさらに好ましい。また、隆起部２２と基部２１との段差２３の高さｈは、例えば、０．５〜３ｍｍとすることが好ましく、０．５〜２ｍｍとすることがさらに好ましい。さらに、隆起部２２の肉厚は、基部２１よりも厚く形成されており、例えば、０．７〜１．４ｍｍであることが好ましく、０．７〜１．０ｍｍであることがさらに好ましい。
【００３５】
次に、基部２１について説明する。基部２１は、肉厚の大きい第１領域２１１と、肉厚の小さい複数（本実施形態では４つ）の第２領域２１２とで構成されている。各第２領域２１２は、図５に示すように、基部２１の内壁面に凹部を形成することで肉厚を小さくしている。複数の第２領域２１２は、平面視でトウ−ヒール方向においてゴルフクラブヘッドの重心Ｇを中心に、例えば、それぞれ１５ｍｍ以内の範囲で、且つフェース−バック方向におけるフェース側付近を起点Ｓとして、この起点Ｓから、フェース側を除くクラウン部２の周縁部２４側に向かって放射状に分布している。
【００３６】
なお、起点Ｓが配置される位置については、図２に示すとおりであり、トゥ−ヒール方向については、上記の通り、ヘッドの重心Ｇからトゥ側に１５ｍｍ、ヒール側に１５ｍｍの計３０ｍｍの範囲内である。一方、フェース−バック方向については、基部２１と隆起部２２との境界からバック側へ、基部２１のフェース−バック方向の長さＨの２５％以内の範囲内に、起点Ｓがあればよい。フェース−バック方向の長さＨとは、図２に記載の通りであり、基準状態における平面視において、クラウン部２とフェース部１との境界のうち、最もフェース側に位置する点と、クラウン部２において最もバック側に位置する点との距離Ｈである。したがって、起点Ｓは、図２の斜線の領域内に配置されることとなる。さらに、「放射状」とは、複数の第２領域２１２が、所定の角度をなして、上記起点Ｓから、クラウン部２の周縁部側に向かって延びるような態様であればよく、少なくとも複数の第２領域２１２が平行に並んでいなければよい。なお、ここでいう「フェース側を除くクラウン部２の周縁部２４」とは、クラウン部２の周縁部のうち、フェース部１と接している部分を除いた部分であることを意味する。また、起点Ｓは１つである必要はなく、上述した領域内に複数あってもよい。すなわち、第２領域２１２のうちのいくつかが異なる起点から放射状に延びるような態様であってもよい。
【００３７】
上記のようにクラウン部２に肉厚の小さい第２領域２１２を設けると、第１領域２１１に比べて小さくなった肉厚の重量は、例えば、サイド部４やソール部３に配分することができる。これにより、ヘッドの慣性モーメントを増大することができる。
【００３８】
各領域２１，２２の肉厚は、次のように規定することができる。すなわち、強度、剛性を考慮すると、例えば、第１領域２１１の肉厚Ｄ１を０．５〜０．８ｍｍ、第２領域２１２の肉厚Ｄ２を０．４〜０．７ｍｍとすることができる。
【００３９】
図４に示すヘッドの平面視において、すべての第２領域２１２の平面視の投影面積Ｓ１が、ヘッドの平面視の投影面積Ｓ２に占める割合Ｒ（＝Ｓ１／Ｓ２）が、５〜３０％であるのが好ましい。この割合Ｒが５％より小さくなると、慣性モーメントの増大効果が得られ難い。一方、割合Ｒが３０％より大きくなると、鋳造性が低下してしまう。例えば、ユーティリティの場合、上記面積Ｓ２は、２７０〜１６４０ｍｍ2程度となる。
【００４０】
また、図４に示すように、各第２領域２１２は、起点Ｓ側から周縁部２４側にいくにしたがって幅が大きくなるように形成されており、例えば、本実施形態では概ね扇形に形成されている。これと同様に、隣接する第２領域２１２の間に配置される第１領域２１１は、起点Ｓ側から周縁部２４側にいくにしたがって幅Ｗが大きくなるように構成されており、概ね扇形となっている。このように隣接する第２領域２１２の間に配置される第１領域２１１は、周縁部２４側の端部の幅Ｗａを５〜２０ｍｍとすることができる。また、第１領域２１１の起点Ｓ側の端部の幅Ｗｂは、１〜８ｍｍであることが好ましく、１．５〜６ｍｍであることがさらに好ましく、２〜５ｍｍであることが特に好ましい。
【００４１】
特に、周縁部２４側の端部の幅Ｗａが５ｍｍより小さいと慣性モーメントの増大効果が小さくなるおそれがあり、また、後述する鋳造時において溶融金属の流れが悪くなるおそれがある。そのため、周縁部２４側の端部の幅Ｗａは、７ｍｍ以上とすることがさらに好ましく、９ｍｍ以上とすることが特に好ましい。一方、周縁部２４側の端部の幅Ｗａが、２０ｍｍより大きいと、クラウン部２の軽量化が損なわれ、例えば、クラウン部２からサイド部４に分配するための重量を確保できないため慣性モーメントの増大効果が制限されるおそれがある。したがって、周縁部２４側の端部の幅Ｗａは、１６ｍｍ以下であることがさらに好ましく、１２ｍｍ以下であることが特に好ましい。なお、ここでいう慣性モーメントとは、ヘッドの重心を通る鉛直軸周り（左右）の慣性モーメントである。また、第１領域２１１及び第２領域２１２の幅Ｗは、基本的に、起点Ｓから周縁部２４側へ延びる方向（図４の線Ｌ）と垂直な方向において計測された値とするが、起点Ｓ側または周縁部２４側の端部においては、隣接する領域間の距離とする（例えば、図４のＷａ，Ｗｂ）。
【００４２】
また、クラウン部２における周縁部２４は、第１領域２１１により構成されている。したがって、各第２領域２１２における周縁部２４側の端縁は、サイド部４と直接的に接しているのではなく、サイド部４との間には、肉厚の大きい第１領域２１１が介在している。この第１領域２１の幅Ｘは、例えば、１〜３０ｍｍとすることができる。この幅Ｘが１ｍｍ以下であれば慣性モーメントの増大効果が小さくなるおそれがある。したがって、この幅Ｘは、３ｍｍ以上であることがさらに好ましく、５ｍｍ以上であることが特に好ましい。一方、この幅Ｘが３０ｍｍより広いと、クラウン部２の軽量化が損なわれるおそれがある。したがって、幅Ｘは、２０ｍｍ以下であることがさらに好ましく、１０ｍｍ以下であることが特に好ましい。
【００４３】
ところで、第１領域２１１と第２領域２１２との境界は、肉厚の差により、図５に示すように、ヘッドの内壁面においては段差が形成されている。これに対して、第１領域２１１と第２領域２１２と間に、肉厚が変化する移行部２５を設けることもできる。この点について、図６を参照しつつ説明する。図６は、移行部を有するゴルフクラブヘッドの線断面図である。同図に示すように、第１領域２１１と第２領域２１２との間に設けられた移行部２５は、断面において、内壁面が傾斜している領域であり、面方向に、第１領域２１１から第２領域２１２へいくにしたがって、肉厚が徐々に小さくなる領域である。このような領域を設けると、ボール打撃時において振動しやすい第２領域２１２が移行部２５によって補強されるため、打球音の残響が長くなるのを防止することができる。この観点から、移行部２５の幅は、例えば、０．５〜１０ｍｍとすることができる。ここで、移行部２５の幅を調整する場合には、第２領域２１２の面積を調整する。例えば、移行部２５の幅を大きくする場合には、第１領域２１１の面積を変更することなく、第２領域２１２の面積を小さくする。そして、移行部２５の幅が０．５ｍｍより小さくなると、打球音の残響が長くなり過ぎるおそれがある。この観点から、移行部２５の幅は、２．０ｍｍ以上とすることがさらに好ましい。一方、移行部２５の幅が１０ｍｍよりも大きくなると、打球音の残響が短くなりすぎるとともに、肉厚の小さい領域が減少するため、慣性モーメントを十分に大きくすることができない。この観点から、移行部２５の幅は、６．０ｍｍ以下であることがさらに好ましく、３．０ｍｍ以下であることが特に好ましい。
【００４４】
＜３．製造方法＞
上記のように構成されたゴルフクラブヘッドは、種々の方法で作製することができるが、例えば、公知のロストワックス精密鋳造法などの鋳造によって製造することができる。ロストワックス精密鋳造法で製造する場合には、溶融金属をクラウン部２の周縁部２４に流し込む。これにより、溶融金属は、周縁部２４に沿ってホーゼル部５や、トゥ側の第１領域２１１、及び第２領域２１２の間に配置された第１領域２１１に流れ込み、起点Ｓ側に向かう。第１領域２１１は起点Ｓ側にいくにしたがって幅が狭くなっているため、溶融金属に作用する圧力が大きくなっていく。そのため、第１領域２１１では、この圧力を開放するため、溶融金属は、隣接する第２領域２１２へ流れ込む。すなわち、この溶融金属は、第１領域２１１の起点Ｓ側からクラウン部２の周縁部２４側へ向かって次第に、第１領域２１１から隣接する第２領域２１２へ押し出される。そして、圧力の向上に伴って、第１領域２１１のフェース側から第２領域２１２に流れ込んでいく。こうして、肉厚の小さい第２領域２１２にも溶融金属を十分に行き渡る。
【００４５】
＜４．特徴＞
以上の実施形態によれば、次の効果を得ることができる。
【００４６】
(1) クラウン部２が、サイド部４と接する基部２１と、フェース部１との境界に沿ってトゥ−ヒール方向に延び、基部２１から段差２３を形成して隆起する隆起部２２と、を備えている。これにより、クラウン部２において、隆起部２２が基部２１よりも、段差２３を介して高く形成されているため、隆起部２２が高くなった分だけ、フェース部１の高さを高くすることができる。そのため、フェース部１における反発性能を向上することができる。また、クラウン部２においては、隆起部２２のみが高く形成され、クラウン部２の大半を占める基部２１は隆起部２２よりも低い位置に形成されているため、ヘッドの重心を低くすることができる。
【００４７】
(2) フェース部１に隣接する隆起部２２の肉厚が基部２１よりも大きいため、衝撃時の耐久性を向上している。
【００４８】
(3) 基部２１に肉厚の小さい複数の第２領域２１２を形成しているため、クラウン部２を軽量化することができる。そして、軽量化のために小さくした肉厚に係る重量は、上述したように、ヘッドの他の部分に配分することができる。これにより、ヘッドの設計の自由度を向上することができる。例えば、クラブヘッドのソール部３に上述した重量を配分すると、低重心化を図ることができ、その結果、打ち出し角度を高くすることができる。あるいは、サイド部４に重量を分配すると、ヘッドの重心を通る鉛直軸周りの慣性モーメントを大きくすることができるため、これによって、打球の方向性を向上することができる。
【００４９】
(4) 隣接する第２領域２１２の間に配置される第１領域２１１は、起点Ｓ側から周縁部２４側にいくにしたがって幅が大きくなるように構成されているため、軽量化されたクラウン部２の重量配分を周縁部２４側に近づくにつれて大きくすることができる。これにより、ヘッドの重心を通る鉛直軸周りの慣性モーメントを大きくすることができるため、打球の方向性を向上することができる。
【００５０】
(5) クラウン部２の第２領域２１２は、基部２１の一部に形成されているため、耐久性が低下するのを防止することができる。特に、隣接する薄肉の第２領域２１２の間には、肉厚の大きい第１領域２１が配置されているため、薄肉化による機械強度の低下を抑制することができる。また、第２領域２１２の数や位置を調節することで、衝撃が大きいクラウン部２の中央部分に、肉厚の大きい第１領域２１１を配置することができ、ヘッドの強度を確保できるという利点もある。さらに、第１領域２１１は、フェース側を起点としてバック側に向かって放射状に分布しているため、打球による衝撃力をクラウン部２の周縁部２４に向かって放射状に逃がすことができるため、これによっても機械強度の低下を抑制することができる。
【００５１】
(6) 薄肉の第２領域２１２が形成されているため、ボールの打撃時に振動を得やすくなり、打球音を大きくすることができる。
【００５２】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００５３】
＜５．１＞
上記実施形態では、第２領域２１２を扇形に形成しているが、厳密な扇形でなくてもよく、起点Ｓ側から周縁部２４側に向かって幅が広くなっていればよい。例えば、扇形の半径部分が直線ではなく曲線で構成されて第２領域２１２が全体として湾曲するような形状であってもよい。これにより、例えば、隣接する第２領域２１２の間に配置される第１領域２１１も、起点Ｓ側から周縁部２４側に向かって湾曲して延びるような形状になってもよい。また、第２領域２１２のフェース側の端部の形状も鋭利な形状でなくてもよく、円弧状などに形成することもできる。また、必ずしも第２領域２１２の幅を変化させなくてもよく、少なくとも隣接する第２領域２１２の間の第１領域２１１の幅Ｗが周縁部２４側で大きくなっていれば、第２領域２１２は、一定の幅で起点Ｓ側から周縁部２４側に向かって延びていてもよい。また、第２領域２１２の数は、特には限定されない。
【００５４】
＜５．２＞
上記実施形態では、第２領域２１２を扇形に形成しているが、これ以外の形態であってもよい。すなわち、基部２１の一部を薄肉に形成し、この肉厚をソール部３などの他の部分に配置できれば、特には限定されない。また、第２領域の面積は、ヘッドの平面視において、すべての第２領域の平面視の投影面積Ｓ１が、ヘッドの平面視の投影面積Ｓ２に占める割合Ｒ（＝Ｓ１／Ｓ２）が、５〜３０％であるのが好ましい。
【００５５】
＜５．３＞
また、基部２１に第２領域２１２を設けず、少なくとも隆起部２２よりも肉厚が一様に小さい基部２１を設けることもできる。
【００５６】
＜５．４＞
上記実施形態に係るヘッドは、少なくともクラウン部２を有するヘッド本体と、他の部分を組み合わせることで構成されていたが、クラウン部２のみを別体で形成するヘッドに対しても適用することができる。例えば、フェース部、サイド部、及びソール部を備え、クラウン部用の開口が形成されたヘッド本体に対し、クラウン部を開口に嵌め込んでヘッドを構成することができる。
【実施例】
【００５７】
以下、本発明の実施例について説明する。但し、本発明は以下の実施例に限定されない。
【００５８】
ここでは、種々の形態のクラウン部を有する２種類の実施例と、２種類の比較例に係るユーティリティタイプのゴルフクラブヘッドを作製した。これらゴルフクラブヘッドは、フェース部を別部材で構成し、これをヘッド本体に接合することで製造した。フェース部は圧延材である「Ｃｕｓｔｏｍ  ４５５」をプレス加工することで形成した。そして、ヘッド本体は、マレージング鋼「Ｃｕｓｔｏｍ  ４５０」からなる溶融金属を用い、ロストワックス精密鋳造法により成形した。実施例１、２及び比較例１，２は、以下の表１に示すような形態で作製されている。実施例１，２は、上記実施形態で示したとおり、クラウン部に隆起部を設けているが、比較例１，２は隆起を有していない。なお、これら実施例及び比較例においては、すべてヘッド重量を２４０ｇ，ヘッド体積を１１０ｃｃとしている。
【００５９】
【表１】
2018034021.tif 000003
なお、実施例１における第２領域の総面積は、４５０mm2である。
【００６０】
以上のように構成された実施例及び比較例について、重心高さと、反発係数を測定した。重心位置の高さはヘッドを基準状態に置いたときの高さをハイトゲージで測定した。反発係数は、ボールスピード１６０ｆｔ／ｓｅｃにて測定した。なお、上記表２中の「中心位置」とは、ヘッドを基準状態に置いたときの、フェース部における上下左右方向の中心をいう。結果は、以下の通りである。
【００６１】
【表２】
2018034021.tif 000004
【００６２】
以上の結果からすると、実施例１、２は、クラウン部に隆起部を設けているため、フェース部の高さが高くなり、その結果、フェース部の反発係数が比較例に比べて高くなっている。また、実施例１，２は、クラウン部を隆起部と基部とで構成し、隆起部のみを高くしているため、フェース部の重心高さは、比較例１よりも低くなっている。特に、実施例１は、クラウン部の基部に、薄肉の第２領域を設けているため、ヘッド高さを高くしても、ヘッド高さが一様に低い比較例２と同程度となっている。
【００６３】
また、実施例１及び比較例２について打球音を測定した。ボールは各例とも共通のものを用い、ヘッドスピードは３４ｍ／ｓとした。また、各例において同一条件で打球音を測定した。打球音の測定方法は、ティーのトウ側３０ｃｍの位置にマイクロフォンを設置し、打球音を収録し、ＦＦＴアナライザーでフーリエ変換を行い、１／３オクターブバンド処理を行った。そして、最も高いピーク周波数及び音圧（オーバーオール値）を算出した。その結果、図１１のような結果が得られた。図１１は、縦軸か周波数、横軸が音圧である。同図に示すように、実施例１と比較例２とを対比すると、最も打球音が発生する周波数域（四角で囲まれた領域）では、実施例１の方が残響が長いことが分かる。これは、実施例１では基部に薄肉の第２領域が形成されているため、振動を得やすいためであると考えられる。よって、実施例１では、良好な打球音を得られることが分かった。
【符号の説明】
【００６４】
１  フェース部
２  クラウン部
２１  基部
２１１  第１領域
２１２  第２領域
２２  隆起部
２３  段差
３  ソール部
４  サイド部
【図１】
2018034021.tif 000005
【図２】
2018034021.tif 000006
【図３】
2018034021.tif 000007
【図４】
2018034021.tif 000008
【図５】
2018034021.tif 000009
【図６】
2018034021.tif 000010
【図７】
2018034021.tif 000011
【図８】
2018034021.tif 000012
【図９】
2018034021.tif 000013
【図１０】
2018034021.tif 000014
【図１１】
2018034021.tif 000015
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
フェース部、サイド部、ソール部、及びクラウン部を備えたゴルフクラブヘッドであって、
前記クラウン部は、
前記サイド部と接する基部と、
前記フェース部との境界に沿ってトゥ−ヒール方向に延び、前記基部から段差を形成して隆起する隆起部と、
を備え、
前記隆起部の肉厚は、前記基部の肉厚よりも大きく、
前記段差の高さが、０．５〜３ｍｍである、ゴルフクラブヘッド。